(57)【特許請求の範囲】
【請求項１】
負荷の使用電力を検出する電力検出手段と、現在日時が設定された後の時間を計時する時計手段と、時計手段による計時が所定の積算期間が経過するまで電力検出手段により検出された使用電力を積算して積算電力量を求めるとともに時計手段による計時が積算期間経過する毎に当該経過時の積算電力量の書き込みを指示する書込信号を出力してから積算電力量をリセットする演算手段と、演算手段により求められた積算電力量及び時計手段の出力に基づいた日時を逐次記憶し且つ前記書込信号を受けたときに前記積算期間経過毎の積算電力量を記憶する記憶手段と、記憶手段に記憶された各積算電力量が表示される表示手段と、停電時に時計手段へ給電する補助電源とを備え、前記演算手段は、補助電源から時計手段へ給電されている間に復電したときに、現在日時が停電日時を含む積算期間を過ぎていたときには停電日時までの積算電力量を当該停電日時を含む積算期間の積算電力量として書込信号を出力してから積算電力量をリセットし、現在日時を新たな積算開始日時とすることを特徴とする電力監視装置。
【請求項２】
前記演算手段は、復電したときの現在日時が停電日時を含む積算期間を過ぎて更に少なくとも１回の積算期間を過ぎていたときに、停電期間に含まれる積算期間の積算電力量を０として書込信号を出力することを特徴とする請求項１記載の電力監視装置。
【請求項３】
前記演算手段は、停電期間中に補助電源から時計手段への給電がなくなった状態で復電した後、時計手段に現在日時の設定が行なわれ当該設定日時が停電日時を含む積算期間を過ぎていたときには停電日時までの積算電力量を当該停電日時を含む積算期間の積算電力量として書込信号を出力し、現在日時を新たな積算開始日時とすることを特徴とする請求項１又は請求項２記載の電力監視装置。
【請求項４】
前記演算手段は、前記設定日時が前記停電日時を含む積算期間を過ぎて更に少なくとも１回の積算期間を過ぎていたときに、停電期間に含まれる積算期間の積算電力量を０として書込信号を出力することを特徴とする請求項３記載の電力監視装置。
【請求項５】
前記演算手段は、前記設定日時が前記停電日時を含む積算期間の開始点よりも前のときには記憶手段に記憶されている全ての積算電力量をリセットさせることを特徴とする請求項３又は請求項４記載の電力監視装置。
【請求項６】
前記演算手段は、時計手段に現在日時の再設定が行なわれ再設定された設定日時を含む積算期間が再設定前の現在日時を含む積算期間を過ぎているときには再設定前の現在日時までの積算電力量を当該再設定前の現在日時を含む積算期間の積算電力量として書込信号を出力し、再設定された現在日時を新たな積算開始日時とすることを特徴とする請求項１ないし請求項５のいずれかに記載の電力監視装置。
【請求項７】
前記演算手段は、前記再設定された設定日時を含む積算期間が再設定前の現在日時を含む積算期間を過ぎて更に少なくとも１回の積算期間を過ぎていたときに、当該過ぎていた積算期間の積算電力量を０として書込信号を出力することを特徴とする請求項６記載の電力監視装置。
【請求項８】
前記演算手段は、前記再設定された設定日時を含む積算期間が再設定前の現在日時を含む積算期間の開始点よりも前のときに、記憶手段に記憶されている全ての積算電力量をリセットさせることを特徴とする請求項６又は請求項７記載の電力監視装置。
【請求項９】
前記表示手段は、記憶手段に記憶された過去の積算期間の積算電力量と現時点での積算電力量とを同時に表示可能であることを特徴とする請求項１ないし請求項８のいずれかに記載の電力監視装置。
【発明の詳細な説明】
【０００１】
【発明の属する技術分野】
本発明は、積算電力量を表示する電力監視装置に関するものである。
【０００２】
【従来の技術】
従来より、使用者が屋外に設置された電力量計を見る必要がなく、屋内で積算電力量を見ることができるようにした電力監視装置として、特開平１１−１１８８４４号公報に記載された電力使用状態表示装置が知られている。この電力監視装置では、演算手段にて演算された所定の積算期間（例えば、１日間、１ヶ月間、１年間）の積算電力量を記憶手段に記憶させるとともに表示手段に表示させるようになっている。ここにおいて、この公報に記載の電力監視装置は、負荷と同じ電源（商用電源）を利用し、積算期間をタイマ手段による計時によって管理しているので、商用電源の停電時にタイマ手段へ給電するバックアップ用の補助電源を設けておくことにより、積算期間を例えば１日間（正確には０時から２４時までの２４時間）としている場合、当該１日間の途中で停電があっても正確な積算電力量を演算することができる。なお、この電力監視装置では、タイマ手段による計時の終了時点毎に演算手段が積算電力量を記憶手段に記憶させてから積算電力量をリセットするようになっている。
【０００３】
【発明が解決しようとする課題】
しかしながら、上記従来の電力監視装置において、例えばタイマ手段による計時によって２４時間経過する毎に演算手段が記憶手段へ積算電力量を記憶させるようにしたものでは、タイマ手段により計時される積算期間内（例えば、２０００年１月１日２３時）に停電が発生して次の積算期間内（例えば、２０００年１月２日２時）に復電したような場合、停電中に補助電源からタイマ手段へ給電されていても、タイマ手段により２４時間が計時された２０００年１月１日２４時の時点で演算手段へ給電されていないので、２０００年１月１日２４時の時点で積算電力量を記憶手段へ記憶させることができず、復電後、２０００年１月１日２３時の時点での積算電力量に２０００年１月２日２時からの積算電力量が積算されていくことになり、積算期間毎の積算電力量を正確に判別することができないという不具合があった。
【０００４】
本発明は上記事由に鑑みて為されたものであり、その目的は、所定の積算期間毎の積算電力量を正確に判別することができる電力監視装置を提供することにある。
【０００５】
【課題を解決するための手段】
請求項１の発明は、上記目的を達成するために、負荷の使用電力を検出する電力検出手段と、現在日時が設定された後の時間を計時する時計手段と、時計手段による計時が所定の積算期間が経過するまで電力検出手段により検出された使用電力を積算して積算電力量を求めるとともに時計手段による計時が積算期間経過する毎に当該経過時の積算電力量の書き込みを指示する書込信号を出力してから積算電力量をリセットする演算手段と、演算手段により求められた積算電力量及び時計手段の出力に基づいた日時を逐次記憶し且つ前記書込信号を受けたときに前記積算期間経過毎の積算電力量を記憶する記憶手段と、記憶手段に記憶された各積算電力量が表示される表示手段と、停電時に時計手段へ給電する補助電源とを備え、前記演算手段は、補助電源から時計手段へ給電されている間に復電したときに、現在日時が停電日時を含む積算期間を過ぎていたときには停電日時までの積算電力量を当該停電日時を含む積算期間の積算電力量として書込信号を出力してから積算電力量をリセットし、現在日時を新たな積算開始日時とすることを特徴とするものであり、停電があって当該停電日時を含む積算期間が経過した後に復電した場合でも、当該停電日時を含む積算期間の積算電力量が演算手段にて正確に求められて記憶手段に記憶されるとともに表示手段に表示されるから、所定の積算期間毎の積算電力量を正確に判別することができる。
【０００６】
請求項２の発明は、請求項１の発明において、前記演算手段は、復電したときの現在日時が停電日時を含む積算期間を過ぎて更に少なくとも１回の積算期間を過ぎていたときに、停電期間に含まれる積算期間の積算電力量を０として書込信号を出力するので、停電日時を含む積算期間の積算電力量のデータがそのまま記憶手段に記憶され、停電期間に含まれる積算期間の積算電力量のデータが０として記憶手段に記憶されるから、積算期間毎の積算電力量をより正確に判別できる。
【０００７】
請求項３の発明は、請求項１又は請求項２の発明において、前記演算手段は、停電期間中に補助電源から時計手段への給電がなくなった状態で復電した後、時計手段に現在日時の設定が行なわれ当該設定日時が停電日時を含む積算期間を過ぎていたときには停電日時までの積算電力量を当該停電日時を含む積算期間の積算電力量として書込信号を出力し、現在日時を新たな積算開始日時とするので、停電期間中に補助電源から時計手段への給電がなくなった状態で復電した後に現在日時を設定した場合でも、積算期間毎の積算電力量を正確に判別することができる。
【０００８】
請求項４の発明は、請求項３の発明において、前記演算手段は、前記設定日時が前記停電日時を含む積算期間を過ぎて更に少なくとも１回の積算期間を過ぎていたときに、停電期間に含まれる積算期間の積算電力量を０として書込信号を出力するので、停電期間中に補助電源から時計手段への給電がなくなった状態で復電した後に現在日時を設定した時に、停電日時を含む積算期間の積算電力量のデータがそのまま記憶手段に記憶され、停電期間に含まれる積算期間の積算電力量のデータが０として記憶手段に記憶されるから、停電期間が長い場合でも積算期間毎の積算電力量を正確に判別できる。
【０００９】
請求項５の発明は、請求項３又は請求項４の発明において、前記演算手段は、前記設定日時が前記停電日時を含む積算期間の開始点よりも前のときには記憶手段に記憶されている全ての積算電力量をリセットさせるので、前記停電日時を含む積算期間の開始点よりも前の積算期間の積算電力量と設定日時における積算電力量とが重複して記憶されることを防止することができ、積算電力量を正確に判別することができる。
【００１０】
請求項６の発明は、請求項１ないし請求項５の発明において、前記演算手段は、時計手段に現在日時の再設定が行なわれ再設定された設定日時を含む積算期間が再設定前の現在日時を含む積算期間を過ぎているときには再設定前の現在日時までの積算電力量を当該再設定前の現在日時を含む積算期間の積算電力量として書込信号を出力し、再設定された現在日時を新たな積算開始日時とするので、現在日時の再設定前に設定した現在日時が真の日時とずれていて現在日時の再設定を行なった場合、再設定された設定日時を含む積算期間が再設定前の現在日時を含む積算期間を過ぎているときには再設定前の現在日時までの積算電力量が当該再設定前の現在日時を含む積算期間の積算電力量として記憶手段に記憶され、再設定された現在日時が新たな積算開始日時となるから、積算期間毎の積算電力量を正確に判別することができる。
【００１１】
請求項７の発明は、請求項６の発明において、前記演算手段は、前記再設定された設定日時を含む積算期間が再設定前の現在日時を含む積算期間を過ぎて更に少なくとも１回の積算期間を過ぎていたときに、当該過ぎていた積算期間の積算電力量を０として書込信号を出力するので、現在日時の再設定前に設定した現在日時が真の日時とずれていて現在日時の再設定を行なった場合、前記再設定された設定日時を含む積算期間が再設定前の現在日時を含む積算期間を過ぎて更に少なくとも１回の積算期間を過ぎていると、当該過ぎていた積算期間の積算電力量が０として記憶手段に記憶されるから、再設定前に設定した現在日時と真の日時とのずれが大きくても、積算期間毎の積算電力量を正確に判別できる。
【００１２】
請求項８の発明は、請求項６又は請求項７の発明において、前記演算手段は、前記再設定された設定日時を含む積算期間が再設定前の現在日時を含む積算期間の開始点よりも前のときに、記憶手段に記憶されている全ての積算電力量をリセットさせるので、再設定前の現在日時を含む積算期間の積算電力量と再設定された設定日時における積算電力量とが重複して記憶手段に記憶されることを防止することができ、積算電力量を正確に判別することができる。
【００１３】
請求項９の発明は、請求項１ないし請求項８の発明において、前記表示手段は、記憶手段に記憶された過去の積算期間の積算電力量と現時点での積算電力量とを同時に表示可能であるので、過去の積算期間の積算電力量を目標積算電力量として表示手段に表示させることにより、現在積算している積算電力量の目安とすることができ、現時点の積算電力量が多いか少ないかを使用者が容易に判別することができる。
【００１４】
【発明の実施の形態】
本実施形態の電力監視装置は、図３に示すように、単相３線の商用電源（図示せず）から電流制限器（以下、リミッタと称す）１１及び導電ブレーカよりなる主幹ブレーカ１２を介して接続されている電圧線Ｌ１，Ｌ２及び中性線Ｎに中継端子台１４を介して電力検出手段たる電力検出器２０を接続している。また、電力検出器２０には３芯ケーブル（例えば、ＣＰＥＶ用３芯ケーブル、ＡＥ用３芯ケーブルなど）１５を介して表示器３０が接続されている。リミッタ１１は需要家の負荷電流を電力会社との間の契約値以下に制限するために設けられたブレーカである。主幹ブレーカ１２と中継端子台１４との間においては、電圧線Ｌ１・中性線Ｎ間および電圧線Ｌ２・中性線Ｎ間に、それぞれ分岐ブレーカ１３を介して複数の分岐回路が接続されている。すなわち、分岐ブレーカ１３を介して負荷への電源が供給される。
【００１５】
リミッタ１１、主幹ブレーカ１２、分岐ブレーカ１３、中継端子台１４、電力検出器２０は分電盤（住宅盤）１に収納され、表示器３０は分電盤１とは別に屋内に設置される。
【００１６】
また、分電盤１には、リミッタ１１と主幹ブレーカ１２との間において電圧線Ｌ１，Ｌ２それぞれを流れる電流を検出する２個のカレントトランスＣＴ１，ＣＴ２が設けてあり、カレントトランスＣＴ１，ＣＴ２で検出した電流の瞬時値と電圧線Ｌ１・中性線Ｎ間、電圧線Ｌ２・中性線Ｎ間それぞれの線間電圧の瞬時値とを用いて電力を求める信号変換回路２１（図５参照）を有する上記電力検出器２０が設けられている。なお、図３及び図４に示すように、各カレントトランスＣＴ１，ＣＴ２は、それぞれ電線（例えば、ＡＷＧ用電線）１６，１６を介して電力検出器２０に接続されている。
【００１７】
信号変換回路２１は、図５に示す構成を有するものであり、各カレントトランスＣＴ１，ＣＴ２により検出した各電流値それぞれと上記各線間電圧それぞれととの積を求める２つの乗算器２４ａ，２４ｂと、乗算器２４ａ，２４ｂの出力値を加算する加算器２５と、加算器２５の出力を平滑化する積分器２６と、積分器２６の出力電圧を当該出力電圧に応じた周波数の矩形波信号に電圧−周波数変換して出力するＶ／Ｆコンバータ２７とを備えている。
【００１８】
Ｖ／Ｆコンバータ２７から出力される矩形波信号は３芯ケーブル１５の信号線Ｌｓ及び接地線Ｌａを介して表示器３０へ伝送される。また、電力検出器２０は、電圧線Ｌ１・中性線Ｎ間の線間電圧から信号変換回路２１用の直流電圧を得る電源回路２８を備え、電源回路２８は３芯ケーブル１５の電源線Ｌｅ及び接地線Ｌａを介して表示器３０へも給電するようになっている。
【００１９】
表示器３０は、図１に示す構成を有するものであり、電力検出器２０のＶ／Ｆコンバータ２６からの矩形波信号を周波数−電圧変換するＦ／Ｖコンバータ３９と、後述の操作部３４の操作によって現在日時が設定された後の時間を計時する時計手段たる時計部３７と、時計部３７による計時が所定の積算期間経過するまでＦ／Ｖコンバータ３９の出力に基づいて電力検出器２０により検出された使用電力を積算して積算電力量を求めるとともに時計部３７による計時が上記積算期間経過する毎に当該経過時の積算電力量の書き込みを指示する書込信号を出力してから積算電力量をリセットする演算手段たる演算処理部３８と、使用電力の目標とする目標電力及び積算電力量の目標とする目標積算電力量などの各種データを記憶するとともに演算処理部３８により求められた使用電力（つまり、電力検出器２０により求められた使用電力）及び積算電力量及び時計部３７の出力に基づいた日時を逐次記憶し且つ上記書込信号を受けたときに上記積算期間経過毎の積算電力量を記憶する記憶手段たる記憶部３６と、演算処理部３８により求められた使用電力（つまり、電力検出器２０により求められた使用電力）及び積算電力量及び前記目標電力及び前記目標積算電力量及び現在日時などを表示可能な表示部３２と、表示部３２への表示内容を選択したり上記時計部３７の現在日時の設定などの各種の設定を行うための上記操作部３４と、使用電力と積算電力量とのうちの少なくとも一方がそれぞれの目標値を越えた時に外部報知を行う発光ダイオード（警告ＬＥＤ）よりなる報知部３３とを備え、異常時や商用電源の停電時にはバックアップ用の補助電源から給電されるようになっている。なお、演算処理部３８は、Ｆ／Ｖコンバータ３９の出力及び時計部３７の出力に基づいて積算電力量を求める（つまり、電力検出器２０により検出された使用電力を積算して積算電力量を求める）積算手段を備えている。
【００２０】
表示器３０は、図２に示す外観を有し、大角連用形の配線器具における２連モジュール寸法（３個モジュール寸法の２倍幅であって２個用のスイッチボックスに１個取り付けることができる寸法）の器体３１が用いられている。つまり、埋込型の配線器具と同様に取付枠を用いて取付施工がなされるものであり、取付枠をスイッチボックスに固定することによって壁面に取り付けたり、取付枠を壁面に木ねじで直付けしたり、壁パネルに設けた取付孔の周部を取付枠に引っ掛けた挟み金具と取付枠との間で挟持したりするなどの施工方法が採用可能となっている。この取付枠はＪＩＳ規格により規格化されているものを流用する。ここにおいて、図２には、上記取付枠に表示器３０の器体３１を取着して該取付枠の前面側に埋込型の配線器具用のプレート５０を装着した状態の外観を示してある。プレート５０は、上記取付枠にプレートねじ（図示せず）を用いて取り付けられる矩形枠状のプレート枠５２と、２連モジュール寸法の埋込型の配線器具の前面（ここでは、器体３１の前面）を露出させる開口窓５１ａを有しプレート枠５２の前面を覆う形でプレート枠５２に取り付けられる化粧プレート枠５１とで構成されている。
【００２１】
上述した表示器３０は、分電盤１とは別に壁面に取り付けることができるものであるから、住宅内の任意の場所に設置することが可能であって、使い勝手がよい。
【００２２】
表示器３０の器体３１の前面には、上記表示部３２、現在日時や各種データなどの各設定項目を設定したり選択する際に用いる設定送りスイッチＳＷ１、各設定項目の数値を増加させる数値増加設定スイッチＳＷ２、各設定項目の数値を減少させる数値減少設定スイッチＳＷ３が設けられている。また、器体３１の前面には、表示部３２の表示を切り替える第１の表示切替スイッチＳＷ４、表示部３２の表示を切り替える第２の表示切替スイッチＳＷ５、上記報知部３３を構成する発光ダイオード（以下、警告用ＬＥＤと称す）の前方に配置された透光部３３ａも設けてある。なお、上記操作部３４は、上記スイッチＳＷ１〜ＳＷ５により構成されている。また、本実施形態では、設定送りスイッチＳＷ１と数値増加設定スイッチＳＷ２と数値減少設定スイッチＳＷ３とで、目標電力及び目標積算電力量を設定する設定手段を構成している。
【００２３】
以下、表示器３０の演算処理部３８の動作について図６を参照しながら説明する。ただし、以下では、上述の積算期間として１ヶ月間が設定されている場合について説明するが、積算期間は１日単位、１年単位で設定してもよい。
【００２４】
電源が投入されると（Ｓ１）、演算処理部３８は、まず時計部２７へ現在日時を設定する時計設定処理を行い（Ｓ２）、現在日時の設定（時計設定）が終了すると（Ｓ３）、使用電力（瞬時電力）の演算を行い（Ｓ４）、続いて積算電力量の演算を行う（Ｓ５）。その後、データ設定処理（Ｓ６）、データ保存処理（Ｓ７）、データ比較処理（Ｓ８）、データ表示処理（Ｓ９）、停電対応処理（Ｓ１０）が順次行われ、Ｓ４に戻る。
【００２５】
ここにおいて、上述の時計設定処理（Ｓ２）では図７に示すような流れで処理が行われる。
【００２６】
すなわち、演算処理部３８は、操作部３４の操作によって現在日時（設定日時）が設定されると（Ｓ２１）、記憶部３６に記憶されている日時のデータに基づいて停電後か否かを判断し（Ｓ２２）、停電後でないと判断した場合には上記操作部３４によって設定された設定日時を現在日時として確定する（Ｓ２３）。一方、Ｓ２２において停電後であると判断した場合には、操作部３４によって設定された設定日時と記憶部３６に記憶されている停電日時との比較を行う（Ｓ２４）。Ｓ２４において、設定日時が停電日時を含む積算期間を過ぎているときには停電日時までの積算電力量を当該停電日時を含む積算期間の積算電力量として書込信号を出力して記憶部３６へ過去データを記憶させてから上記演算手段で演算された積算電力量をリセットし（Ｓ２５）、設定日時を現在日時として確定する（Ｓ２３）。なお、Ｓ２４において、設定日時が停電日時を含む積算期間を過ぎて少なくとも更に１回の積算期間を過ぎているときには停電期間に含まれる積算期間の積算電力量を０として書込信号を出力して記憶部３６へ過去データを記憶させ（Ｓ２５）、設定日時を現在日時として確定する（Ｓ２３）。Ｓ２４において設定日時が停電日時を含む積算期間の開始点よりも前の場合には、記憶部３６に記憶されている積算電力量のデータを全てリセットさせ（Ｓ２６）、設定日時を現在日時として確定する（Ｓ２３）。Ｓ２４において設定日時と停電日時とが等しい場合には、設定日時を現在日時として確定する（Ｓ２３）。
【００２７】
また、上述のデータ設定処理（Ｓ６）では図８に示すような流れで処理が行われる。
【００２８】
すなわち、演算処理部３８は、操作部３４からの出力を監視することにより目標電力の設定を許可するか否かを判断し（Ｓ６２）、目標電力の設定を許可した場合には操作部３４の操作により目標電力が設定され（Ｓ６２）、設定が完了すると（Ｓ６３）、操作部３４からの出力を監視することにより目標積算電力量の設定を許可するか否かを判断する（Ｓ６４）。目標積算電力量の設定を許可した場合には、時計部３４の出力に基づいて電力検出開始後１年以上経過しているか否かを判別し（Ｓ６５）、電力検出開始後１年以上経過しているときには前年同月の積算電力量（前年同月の積算電力量があらかじめ記憶部３６に記憶されている）を目標積算電力量の初期値として表示部３２へ表示させる（Ｓ６７）。一方、Ｓ６５において電力検出開始後１年未満のときには前月実績（前月の積算電力量があらかじめ記憶部３６に記憶されている）を目標積算電力量の初期値として表示部３２へ表示させる（Ｓ６６）。そして、Ｓ６６又はＳ６７により目標積算電力量が表示部３２に表示された状態で目標積算電力量が初期値から変更（この変更は操作部３４の操作により行われる）されたか否かが判断され（Ｓ６８）、初期値から変更された場合には目標積算電力量が変更され（Ｓ６９）、設定を完了させる（Ｓ１６１）。Ｓ６８において初期値から変更なしと判断された場合には設定を完了させる（Ｓ１６１）。
【００２９】
また、上述のデータ保存処理（Ｓ７）では図９に示すような流れで処理が行われる。
【００３０】
すなわち、演算処理部３８は時計部３７の出力に基づいて積算手段による積算開始時点から１ヶ月（積算期間）が経過したか否かを判断し（Ｓ７１）、１ヶ月が経過したときに書込信号を出力することにより積算期間終了時点の積算手段による積算電力量を過去データとして記憶部３６に保存させてから積算手段による積算電力量をリセットする（Ｓ７２）。データ設定が完了したか否かが判断され（Ｓ７３）、データ設定が完了したときには、目標電力を記憶部３６に保存させ（Ｓ７４）、目標積算電力量を記憶部３６に保存させる（Ｓ７５）。なお、本実施形態では、演算処理部３８が記憶部３６に過去２４ヶ月間の積算電力量を月毎（積算期間毎）に記憶させるようになっている。
【００３１】
また、上述のデータ比較処理（Ｓ８）では図１０に示すような流れで処理が行われる。
【００３２】
すなわち、演算処理部３８は、使用電力と目標電力との比較を行い（Ｓ８１）、使用電力が目標電力を越えている場合には報知部３３の警告ＬＥＤを点灯させる（Ｓ８２）。また、積算電力量と目標積算電力量との比較を行い（Ｓ８３）、積算電力量が目標積算電力量を越えている場合には報知部３３の警告ＬＥＤを点灯させる（Ｓ８４）。また、月間の積算電力量の目安から現時点までの積算目安電力量を演算して求め（Ｓ８５）、積算電力量と積算目安電力量との比較を行う（Ｓ８６）。そして、積算電力量が積算目安電力量を越えている場合には報知部３３の警告ＬＥＤを点灯させ（Ｓ８７）、データ比較処理を終了する。一方、積算電力量が積算目安電力量を越えていない場合にはデータ比較処理を終了する。
【００３３】
また、上述のデータ表示処理（Ｓ９）では図１１に示すような流れで処理が行われる。
【００３４】
演算処理部３８は、操作部３４の操作などにより表示モードが決定され（Ｓ９１）、該決定された表示モードに応じて表示部３２へ、Ｓ９２のように使用電力及び目標電力を同時に表示させたり（電力表示モード）、Ｓ９４のように積算電力量及び目標積算電力量を同時に表示させたり（積算電力量表示モード）、Ｓ９５のように積算電力量及び積算目安電力量を表示させたり、Ｓ９６のように過去の積算電力量を表示させたり（過去データ表示モード）、Ｓ９７のように現在日時を時計表示させたり（時計表示モード）する。ここにおいて、積算目安電力量は、演算処理部３８により求められる量であって、時計部３７及び記憶部３６の出力に基づいて前年同月の積算電力量から該前年同月における１時間当たりの電力量を求め、該電力量に前年同月の同日同時間までの時間を乗じた値が積算目安電力量として求められる。
【００３５】
ところで、時計表示モード（Ｓ９７）において、操作部３４の適宜操作により時計設定処理（Ｓ９８）を行うことができる。この時計設定処理（Ｓ９８）では、演算処理部３８にて図１２に示すような流れで処理が行われる。
【００３６】
すなわち、演算処理部３８は、操作部３４の操作によって現在日時が再設定されると（Ｓ３１）、再設定された設定日時と再設定前の現在日時との比較を行う（Ｓ３２）。Ｓ３２において、設定日時が再設定前の現在日時を含む積算期間を過ぎているときには再設定前の現在日時までの積算電力量を当該再設定前の現在日時を含む積算期間の積算電力量として書込信号を出力することにより記憶部３６へ過去データを記憶させてから上記演算手段で演算された積算電力量をリセットし（Ｓ３３）、設定日時を新たな現在日時として確定する（Ｓ３４）。なお、Ｓ３２において、設定日時が再設定前の現在日時を含む積算期間を過ぎて少なくとも更に１回の積算期間を過ぎていたときには当該過ぎていた積算期間の積算電力量を０として書込信号を出力することにより記憶部３６へ過去データを記憶させ（Ｓ３３）、設定日時を新たな現在日時として確定する（Ｓ３４）。Ｓ３２において設定日時が再設定前の現在日時を含む積算期間の開始点よりも前の場合には、記憶部３６に記憶されている積算電力量のデータを全てリセットさせ（Ｓ３５）、設定日時を新たな現在日時として確定する（Ｓ３４）。Ｓ３２において設定日時と再設定前の現在日時とが等しい場合には、設定日時を新たな現在日時として確定する（Ｓ３４）。
【００３７】
また、上述の停電対応処理（Ｓ１０）では図１３に示すような流れで処理が行われる。
【００３８】
演算処理部３８は、まず停電があったか否かを判定し（Ｓ４１）、停電がなかった場合には停電対応処理を終了する。一方、Ｓ４１において停電があったと判定された場合には、停電日時を記憶部３６へ記憶させ（Ｓ４２）、低消費電力動作へ移行する（Ｓ４３）。Ｓ４３の後、補助電源３５からの給電がなくなってから復電した場合には上述のＳ２の時計設定処理を行う。これに対して、補助電源３５からの給電がある状態で復電したときには、低消費電力動作から通常動作へ移行する（Ｓ４６）。Ｓ４６の後、停電日時と現在日時との比較を行い（Ｓ４７）、停電日時の積算期間と現在日時の積算期間とが同じ場合には停電対応処理を終了する。一方、Ｓ４７において、現在日時が停電日時を含む積算期間を過ぎていた場合には停電日時までの積算電力量を当該停電日時を含む積算期間の積算電力量として書込信号を出力することにより記憶部３６へ過去データを記憶させてから上記演算手段で演算された積算電力量をリセットし（Ｓ４８）、停電対応処理を終了する。なお、Ｓ４７において、現在日時が停電日時を含む積算期間を過ぎて少なくとも更に１回の積算期間を過ぎているときには停電期間に含まれる積算期間の積算電力量を０として書込信号を出力することにより記憶部３６へ過去データを記憶させ（Ｓ４８）、停電対応処理を終了する。
【００３９】
以下、表示器３０における表示部３２の表示状態の具体例について図１４〜図３３を参照しながら説明する。なお、表示部３２は数値表示がセグメント式のものであり、表示している情報の種別は、上欄に設けた種別表示領域Ｄ１又は下欄に設けた種別表示領域Ｄ３に文字で表示され、数値は数値表示領域Ｄ２又はＤ４に表示される。また、数値表示領域Ｄ２，Ｄ４に表示されている数字のうち白抜きの数字は当該数字が点滅していることを示している。
【００４０】
まず、現在日時を設定する際の表示部３２の表示について説明するが、ここでは、一例として電源投入後に図１４に示すような日時「９９年７月２２日８時３分」を表示させる場合について説明する。
【００４１】
電源が投入されると、図１５（ａ）にような表示が行われ、年の数値「９９」が点滅する。ここで、設定送りスイッチＳＷ１を押すと、図１５（ｂ）のように月の数値「１」が点滅するので、数値増加設定スイッチＳＷ２，数値減少設定スイッチＳＷ３を適宜操作することにより、図１５（ｃ）のように月の数値を「７」に合わせる。そして、設定送りスイッチＳＷ１を押すと、図１５（ｄ）のように日の数値「１」が点滅するので、数値増加設定スイッチＳ２，Ｓ３を適宜操作することにより、図１５（ｅ）のように日の数値を「２２」に合わせる。そして、設定送りスイッチＳＷ１を押すと、図１５（ｆ）のように時の数値「０」が点滅するので、数値増加設定スイッチＳＷ２，数値減少設定スイッチＳＷ３を適宜操作することにより、図１６（ａ）のように時の数値を「８」に合わせる。そして、設定送りスイッチＳＷ１を押すと、図１６（ｂ）のように分の数値「００」が点滅するので、数値増加設定スイッチＳ２，数値減少設定スイッチＳ３を適宜操作することにより、図１６（ｃ）のように分の数値を「０３」に合わせる。そして、設定送りスイッチＳＷ１を２秒以上継続して押すことにより、図１７（ａ）のように年、月、日、時、分の全てが確定した状態になり、第１の表示切替スイッチＳＷ４を押すことにより、図１８のように現在の使用電力が数値表示領域Ｄ２に表示されるとともに、目標電力が数値表示領域Ｄ４に表示される。
【００４２】
一方、図１６（ｃ）のように分の数値を「０３」に合わせた後に、設定送りスイッチＳＷ１を２秒よりも短い時間だけ押すと、図１７（ｂ）のように年の数値「９９」が点滅する。要するに、設定送りスイッチＳＷ１を２秒よりも短い時間だけ押すことにより、年、月、日、時、分の各設定項目が順に選択される。また、月、日、時、分のいずれかの数値が点滅している状態においても設定送りスイッチＳＷ１を２秒以上押すことにより、日時が確定される。
【００４３】
次に、現在日時を変更する場合の表示部３２の表示について説明するが、ここでは、一例として「９９年７月２２日８時３分」を「９９年８月２日９時８分」に変更する場合について説明する。
【００４４】
図１９（ａ）にような表示がされた状態で設定送りスイッチＳＷ１を２秒以上押すと、図１９（ｂ）のように年の数値「９９」が点滅する。ここで、設定送りスイッチＳＷ１を押すと、図１９（ｃ）のように月の数値「７」が点滅するので、数値増加設定スイッチＳＷ２，数値減少設定スイッチＳＷ３を適宜操作することにより、図１９（ｄ）のように月の数値を「８」に合わせる。そして、設定送りスイッチＳＷ１を押すと、図１９（ｅ）のように日の数値「２２」が点滅するので、数値増加設定スイッチＳＷ２，数値減少設定スイッチＳＷ３を適宜操作することにより、図１９（ｆ）のように日の数値を「２」に合わせる。そして、設定送りスイッチＳＷ１を押すと、図２０（ａ）のように時の数値「８」が点滅するので、数値増加設定スイッチＳＷ２，数値減少スイッチＳＷ３を適宜操作することにより、図２０（ｂ）のように時の数値を「９」に合わせる。そして、設定送りスイッチＳＷ１を押すと、図２０（ｃ）のように分の数値「０３」が点滅するので、数値増加設定スイッチＳ２，数値減少設定スイッチＳ３を適宜操作することにより、図２０（ｄ）のように分の数値を「０８」に合わせる。そして、設定送りスイッチＳＷ１を２秒以上継続して押すことにより、図２０（ｅ）のように年、月、日、時、分の全てが確定した状態になり、第１の表示切替スイッチＳ４を押すことにより、上記図１８のように現在の使用電力が数値表示領域Ｄ２に表示されるとともに、目標電力が数値表示領域Ｄ４に表示される。
【００４５】
次に、現在の使用電力及び目標電力の表示例について図２１を参照しながら説明する。使用電力及び目標電力が表示される電力表示モードでは、図２１のように、表示部３２の上欄の種別表示領域Ｄ１に「現在電気使用量」という文字が表示され、上欄の数値表示領域Ｄ２に現在の使用電力が表示される。また、表示部３２の下欄の種別表示領域Ｄ２に「おやすみ時使用量目安」の文字が表示され、下欄の数値表示領域Ｄ４に目標電力が表示される。
【００４６】
ここに、目標電力（おやすみ時使用量目安）を設定する場合の表示部３２の表示例について説明するが、ここでは、目標電力を「１．２ＫＷ」から「１．４ＫＷ」に変更する場合について説明する。
【００４７】
図２２（ａ）のように数値表示領域Ｄ２に使用電力が表示されるとともに数値表示領域Ｄ４に目標電力が表示された状態で設定送りスイッチＳＷ１を２秒以上押すと、図２２（ｂ）のように数値表示領域Ｄ４に表示されている数値「１．２」が点滅する。ここで、数値増加設定スイッチＳＷ２を押し続けると数値表示領域Ｄ２に表示される数値が連続的に増加し、数値表示領域Ｄ４に例えば図２２（ｃ）のように数値「２．０」が点滅し、数値減少設定スイッチＳＷ３を押し続けると数値が連続的に減少し、数値表示領域Ｄ４に例えば図２２（ｄ）のように数値「１．５」が点滅する。そして、数値減少設定スイッチＳＷ３を１回押すことにより、図２２（ｅ）のように数値「１．４」が点滅する。そして、設定送りスイッチＳＷ１を２秒以上押すことにより、図２３のように現在の使用電力及び目標電力が同時に表示されるとともに目標電力が「１．４ＫＷ」に確定する。
【００４８】
また、図２４及び図２５は、今月の現時点での積算電力量及び目標積算電力量が同時に表示される場合の表示例を示したものである。ここに、図２４は演算処理部３８による電力検出を開始した月の翌々月以降であって目標積算電力量が設定されている場合の表示例であり、種別表示領域Ｄ１に「今月電気使用量」の文字が表示され、数値表示領域Ｄ２に今月の現時点までの積算電力量の数値「１４６」が表示され、種別表示領域Ｄ３に「今月現在使用量目安」の文字が表示され、数値表示領域Ｄ４に今月の現時点までの目標積算電力量の数値「１７８」が表示される。ここにおいて、数値表示領域Ｄ４には、演算処理部３８による電力検出を開始して３ヶ月目から１２ヶ月目までは当月の１ヶ月前の積算電力量が表示され、演算処理部３８による電力検出を開始して１３ヶ月目からは１年前の同月の積算電力量が表示される。図２４の表示状態では、２分間以上にわたって上記スイッチＳＷ１〜ＳＷ５が操作されないと、自動で現在の使用電力及び目標電力が表示される電力表示モードへ移行し、図２４の表示状態で第１の表示切替スイッチＳＷ４を押すと、次の表示モードへ移行する。
【００４９】
また、図２５は演算処理部３８による電力検出を開始した月及び翌月以降であって目標電力が設定されていない場合の表示例であり、種別表示領域Ｄ１に「今月電気使用量」の文字が表示され、数値表示領域Ｄ２に今月の源時点での積算電力量の数値「１４６」が表示され、種別表示領域Ｄ３に「今月現在使用量目安」の文字が表示され、数値表示領域Ｄ４に数値「０」が表示される。図２５の表示状態では、２分間以上にわたって上記スイッチＳＷ１〜ＳＷ５が操作されないと、自動で現在の使用電力及び目標電力が表示される電力表示モードへ移行し、図２５の表示状態で第１の表示切替スイッチＳＷ４を押すと、次の表示モードへ移行する。
【００５０】
また、図２６及び図２７は、当月の現時点での積算電力量及び当月の１ヶ月間の目標積算電力量が同時に表示される場合の表示例を示したものである。図２６は演算処理部３８による電力検出を開始した月の翌々月以降であって１ヶ月の目標積算電力量が設定されている場合の表示例であり、種別表示領域Ｄ１に「今月現在電気使用量」の文字が表示され、数値表示領域Ｄ２に今月の現時点までの積算電力量の数値「１４６」が表示され、種別表示領域Ｄ３に「今月月間使用量目安」の文字が表示され、数値表示領域Ｄ４に当月の１ヶ月の目標積算電力量の数値「４７８」が表示される。ここにおいて、数値表示領域Ｄ４には、演算処理部３８による電力検出を開始して３ヶ月目から１２ヶ月目まではその月の１ヶ月前の１ヶ月間の積算電力量が表示され、演算処理部３８による電力検出を開始して１３ヶ月目からは１年前の同月の１ヶ月間の積算電力量が表示される。図２６の表示状態では、２分間以上にわたって上記スイッチＳＷ１〜ＳＷ５が操作されないと、自動で現在の使用電力及び目標電力が表示される電力表示モードへ移行し、また、第１の表示切替スイッチＳＷ４を押すと、次の表示モードへ移行する。また、設定送りスイッチＳＷ１を２秒以上押すと、今月の目標積算電力量を設定するための表示へ移行する。
【００５１】
また、図２７は演算処理部３８による電力検出を開始した月及び翌月であって目標積算電力量が設定されていない場合の表示例であり、種別表示領域Ｄ１に「今月電気使用量」の文字が表示され、数値表示領域Ｄ２に今月の現時点までの積算電力量の数値「１４６」が表示され、種別表示領域Ｄ３に「今月月間使用量目安」の文字が表示され、数値表示領域Ｄ４に数値「０」が表示される。図２７の表示状態では、２分間以上にわたって上記スイッチＳＷ１〜ＳＷ５が操作されないと、自動で現在の使用電力及び目標電力が表示される電力表示モードへ移行し、また、第１の表示切替スイッチＳＷ４を押すと、次の表示モードへ移行する。
【００５２】
ところで、図２８（ａ）のように今月の現時点での積算電力量（１８６ｋＷｈ）が今月現時点までの目標積算電力量（１７８ｋＷｈ）を越えると、報知部３３を構成する警告ＬＥＤが点灯して発光表示部３３ａによる報知がなされる（図２８（ａ）において発光表示部３３ａにハッチングを施しているのは警告ＬＥＤが点灯していることを示す）。ただし、目標積算電力量が設定されていない場合には、電源投入が投入した月の翌々月からこのような報知が可能となる。
【００５３】
図２８（ａ）のように発光表示部３３ａにより報知がなされた状態（警告ＬＥＤが点灯した状態）で、第２の表示切替スイッチＳＷ５を押すと、図２８（ｂ）のように警告ＬＥＤが消灯して発光表示部３３ａによる報知がない状態へ移行する。ただし、翌日の午前６時以降に積算電力量が目標積算電力量を越えていれば警告ＬＥＤが再点灯する。
【００５４】
また、図２９（ａ）のように表示部３２に現在の使用電力及び目標電力が表示された状態で、第２の表示切替スイッチＳＷ５を押すと、図２９（ｂ）のように過去の積算電力量が表示される。すなわち、種別表示領域Ｄ１に「過去月間電気使用量」の文字が表示され、数値表示領域Ｄ２に１ヶ月前の１ヶ月間の積算電力量の数値「４９９」が表示され、数値表示領域Ｄ４に前月の年、月それぞれの数値「９９」、「６」が表示される。また、図２９（ｂ）の表示状態で第１の表示切替スイッチＳＷ４を押すと、図２９（ａ）のような現在の使用電力及び目標電力が同時に表示された状態に戻るが、２分間以上にわたって上記スイッチＳＷ１〜ＳＷ５が操作されないと、自動で現在の使用電力及び目標電力が表示される電力表示モードへ移行する。
【００５５】
ところで、上述の第２の表示切替スイッチＳＷ５を操作することにより、過去２４ヶ月の各月の月間の積算電力量を表示させることができるようになっている。いま現在が９９年７月とすると、図３０（ａ）のように１ヶ月前（９９年６月）の月間の積算電力量が表示された状態で、第２の表示切替スイッチＳＷ５を押すと、図３０（ｂ）のように２ヶ月前の月間の積算電力量が表示され、さらに第２の表示切替スイッチＳＷ５を押すと、図３０（ｃ）のように３ヶ月前の月間の積算電力量が表示される。同様にして第２の表示切替スイッチＳＷ５を押す度に表示されている前の月の月間の積算電力量が表示され、図３０（ｄ）のように２４ヶ月前（９８年８月）の月間の積算電力量が表示された状態で、第２の表示切替スイッチＳＷ５を押すと、図３０（ｅ）のように１ヶ月前（９９年６月）の月間の積算電力量が表示された状態に戻る。
【００５６】
次に、月間の目標積算電力量を設定する場合の表示例について説明する。
【００５７】
いま、図３１（ａ）のように今月の現時点の積算電力量及び月間の目標積算電力量が表示されている状態で設定送りスイッチＳＷ１を２秒以上押すと、図３１（ｂ）のように種別表示領域Ｄ３に「月間使用量目安」の文字が表示され、数値表示領域Ｄ４に１ヶ月前の積算電力量の数値「４５０」が表示される。
【００５８】
ここにおいて、月間の目標積算電力量を設定する際の表示部３２の表示例について説明する。
【００５９】
図３２（ａ）のように数値表示領域Ｄ２に月間の目標積算電力量が表示された状態で、設定送りスイッチＳＷ１を２秒以上押すと、図３２（ｂ）のように数値表示領域Ｄ４の数値「４５０」が点滅し、その後、数値増加設定スイッチＳＷ２を押し続けることにより数値表示領域Ｄ４の数値が連続的に増加し（数値減少設定スイッチＳＷ３を押し続ければ数値が連続的に減少する）、数値表示領域Ｄ４に例えば図３２（ｃ）のように数値「４５９」が点滅する。さらに、数値増加設定スイッチＳＷ２を押し続けることにより数値表示領域Ｄ４の数値が連続的に増加し、数値表示領域Ｄ４に例えば図３２（ｄ）のように数値「４９８」が点滅する。その後、数値増加設定スイッチＳＷ２を２回押すことにより数値表示領域Ｄ４の数値が２だけ増加して、図３２（ｅ）のように数値「５００」が点滅する。そして、設定送りスイッチＳＷ１を２秒以上押すことにより、図３３のように今月の現時点での積算電力量が数値表示領域Ｄ２に表示されるとともに今月の月間の目標積算電力量の数値が「５００」で確定して数値表示領域Ｄ４に表示される。この図３３の表示状態で２分間以上にわたって上記スイッチＳＷ１〜ＳＷ５が操作されないと、自動で現在の使用電力及び目標電力が表示される電力表示モードへ移行する。
【００６０】
以上説明した本実施形態の電力監視システムでは、表示器３０を分電盤１とは別に屋内に配設することで、使用電力及び積算電力量及び目標電力及び目標積算電力量を屋内で視認することができるので、需要家がリアルタイムで使用電力と目標電力とを比較したり、積算電力量と目標積算電力量とを比較することができ、使用電力や積算電力量がそれぞれの目標値に対して多いか否かを需要家が容易に判別することができ、省エネルギ化を推進しやすくなる。例えば、睡眠時の使用電力を目標電力として設定しておき、次の日の睡眠時に確認することにより、電気の消し忘れなどを発見することができる。
【００６１】
ここに、表示器３０には、目標電力及び目標積算電力量を設定する上記設定手段が設けられているので、目標電力及び目標積算電力量を需要家が適宜設定することができる。したがって、使用電力や積算電力量が多い月と少ない月とで目標値を容易に設定変更することができる。しかも、本実施形態における表示部３０には、使用電力と目標電力とが同時に表示され、また、積算電力量と目標積算電力量とが同時に表示されるので、目標値と実績との比較が容易になる。また、本実施形態では、上記積算手段による積算電力量が積算開始時点から所定の積算期間（１ヶ月）経過毎にリセットされるので、積算期間（１ヶ月）単位での積算電力量を需要家が簡単に知ることができる。しかも、積算期間（１ヶ月）単位での過去の積算電力量を表示部３２に表示することができるので、積算電力量に関して現在の積算期間と過去の積算期間との比較を需要家が容易に行うことができる。また、積算手段のリセット前の積算電力量をリセット後の目標積算電力量として記憶部３６に記憶させることにより、リセット前の積算電力量を現在の積算期間の積算電力量の目安とすることができる。
【００６２】
ところで、本実施形態における演算処理部３８は、停電があっても補助電源３５から時計部３７へ給電されている間に復電したときに、現在日時が停電日時を含む積算期間を過ぎていたときには停電日時までの積算電力量を当該停電日時を含む積算期間の積算電力量として書込信号を出力してから積算電力量をリセットし、現在日時を新たな積算開始日時とするので、停電日時を含む積算期間の積算電力量が演算処理部３８にて正確に求められて記憶部３６に記憶されるとともに表示部３２に表示されるから、所定の積算期間毎の積算電力量を正確に判別することができる。ここに、演算処理部３８は、復電したときの現在日時が停電日時を含む積算期間を過ぎて更に少なくとも１回の積算期間を過ぎていたときに、停電期間に含まれる積算期間の積算電力量を０として書込信号を出力するので、停電日時を含む積算期間の積算電力量のデータがそのまま記憶部３６に記憶され、停電期間に含まれる積算期間の積算電力量のデータが０として記憶部３６に記憶されるから、積算期間毎の積算電力量をより正確に判別できる。
【００６３】
また、演算処理部３８は、停電期間中に補助電源３５から時計部３７への給電がなくなった状態で復電した後、時計部３７に現在日時の設定が行なわれ当該設定日時が停電日時を含む積算期間を過ぎていたときには停電日時までの積算電力量を当該停電日時を含む積算期間の積算電力量として書込信号を出力し、現在日時を新たな積算開始日時とするので、停電期間中に補助電源３５から時計部３７への給電がなくなった状態で復電した後に現在日時を設定した場合でも、積算期間毎の積算電力量を正確に判別することができる。ここに、演算処理部３８は、上記設定日時が上記停電日時を含む積算期間を過ぎて更に少なくとも１回の積算期間を過ぎていたときに、停電期間に含まれる積算期間の積算電力量を０として書込信号を出力するので、停電期間中に補助電源３５から時計部３７への給電がなくなった状態で復電した後に現在日時を設定した時に、停電日時を含む積算期間の積算電力量のデータがそのまま記憶部３６に記憶され、停電期間に含まれる積算期間の積算電力量のデータが０として記憶部３６に記憶されるから、停電期間が長い場合でも積算期間毎の積算電力量を正確に判別できる。また、演算処理部３８は、上記設定日時が上記停電日時を含む積算期間の開始点よりも前のときには記憶部３６に記憶されている全ての積算電力量をリセットさせるので、上記停電日時を含む積算期間の開始点よりも前の積算期間の積算電力量と設定日時における積算電力量とが重複して記憶されることを防止することができ、積算電力量を正確に判別することができる。
【００６４】
また、演算処理部３８は、時計３７に現在日時の再設定が行なわれ再設定された設定日時を含む積算期間が再設定前の現在日時を含む積算期間を過ぎているときには再設定前の現在日時までの積算電力量を当該再設定前の現在日時を含む積算期間の積算電力量として書込信号を出力し、再設定された現在日時を新たな積算開始日時とするので、現在日時の再設定前に設定した現在日時が真の日時とずれていて現在日時の再設定を行なった場合、再設定された設定日時を含む積算期間が再設定前の現在日時を含む積算期間を過ぎているときには再設定前の現在日時までの積算電力量が当該再設定前の現在日時を含む積算期間の積算電力量として記憶部３６に記憶され、再設定された現在日時が新たな積算開始日時となるから、積算期間毎の積算電力量を正確に判別することができる。ここに、演算処理部３８は、上記再設定された設定日時を含む積算期間が再設定前の現在日時を含む積算期間を過ぎて更に少なくとも１回の積算期間を過ぎていたときに、当該過ぎていた積算期間の積算電力量を０として書込信号を出力するので、現在日時の再設定前に設定した現在日時が真の日時とずれていて現在日時の再設定を行なった場合、上記再設定された設定日時を含む積算期間が再設定前の現在日時を含む積算期間を過ぎて更に少なくとも１回の積算期間を過ぎていると、当該過ぎていた積算期間の積算電力量が０として記憶部３６に記憶されるから、再設定前に設定した現在日時と真の日時とのずれが大きくても、積算期間毎の積算電力量を正確に判別できる。また、演算処理部３８は、上記再設定された設定日時を含む積算期間が再設定前の現在日時を含む積算期間の開始点よりも前のときに、記憶部３６に記憶されている全ての積算電力量をリセットさせるので、再設定前の現在日時を含む積算期間の積算電力量と再設定された設定日時における積算電力量とが重複して記憶部３６に記憶されることを防止することができ、積算電力量を正確に判別することができる。
【００６５】
【発明の効果】
請求項１の発明は、負荷の使用電力を検出する電力検出手段と、現在日時が設定された後の時間を計時する時計手段と、時計手段による計時が所定の積算期間が経過するまで電力検出手段により検出された使用電力を積算して積算電力量を求めるとともに時計手段による計時が積算期間経過する毎に当該経過時の積算電力量の書き込みを指示する書込信号を出力してから積算電力量をリセットする演算手段と、演算手段により求められた積算電力量及び時計手段の出力に基づいた日時を逐次記憶し且つ前記書込信号を受けたときに前記積算期間経過毎の積算電力量を記憶する記憶手段と、記憶手段に記憶された各積算電力量が表示される表示手段と、停電時に時計手段へ給電する補助電源とを備え、前記演算手段は、補助電源から時計手段へ給電されている間に復電したときに、現在日時が停電日時を含む積算期間を過ぎていたときには停電日時までの積算電力量を当該停電日時を含む積算期間の積算電力量として書込信号を出力してから積算電力量をリセットし、現在日時を新たな積算開始日時とするものであり、停電があって当該停電日時を含む積算期間が経過した後に復電した場合でも、当該停電日時を含む積算期間の積算電力量が演算手段にて正確に求められて記憶手段に記憶されるとともに表示手段に表示されるから、所定の積算期間毎の積算電力量を正確に判別することができるという効果がある。
【００６６】
請求項２の発明は、請求項１の発明において、前記演算手段は、復電したときの現在日時が停電日時を含む積算期間を過ぎて更に少なくとも１回の積算期間を過ぎていたときに、停電期間に含まれる積算期間の積算電力量を０として書込信号を出力するので、停電日時を含む積算期間の積算電力量のデータがそのまま記憶手段に記憶され、停電期間に含まれる積算期間の積算電力量のデータが０として記憶手段に記憶されるから、積算期間毎の積算電力量をより正確に判別できるという効果がある。
【００６７】
請求項３の発明は、請求項１又は請求項２の発明において、前記演算手段は、停電期間中に補助電源から時計手段への給電がなくなった状態で復電した後、時計手段に現在日時の設定が行なわれ当該設定日時が停電日時を含む積算期間を過ぎていたときには停電日時までの積算電力量を当該停電日時を含む積算期間の積算電力量として書込信号を出力し、現在日時を新たな積算開始日時とするので、停電期間中に補助電源から時計手段への給電がなくなった状態で復電した後に現在日時を設定した場合でも、積算期間毎の積算電力量を正確に判別することができるという効果がある。
【００６８】
請求項４の発明は、請求項３の発明において、前記演算手段は、前記設定日時が前記停電日時を含む積算期間を過ぎて更に少なくとも１回の積算期間を過ぎていたときに、停電期間に含まれる積算期間の積算電力量を０として書込信号を出力するので、停電期間中に補助電源から時計手段への給電がなくなった状態で復電した後に現在日時を設定した時に、停電日時を含む積算期間の積算電力量のデータがそのまま記憶手段に記憶され、停電期間に含まれる積算期間の積算電力量のデータが０として記憶手段に記憶されるから、停電期間が長い場合でも積算期間毎の積算電力量を正確に判別できるという効果がある。
【００６９】
請求項５の発明は、請求項３又は請求項４の発明において、前記演算手段は、前記設定日時が前記停電日時を含む積算期間の開始点よりも前のときには記憶手段に記憶されている全ての積算電力量をリセットさせるので、前記停電日時を含む積算期間の開始点よりも前の積算期間の積算電力量と設定日時における積算電力量とが重複して記憶されることを防止することができ、積算電力量を正確に判別することができるという効果がある。
【００７０】
請求項６の発明は、請求項１ないし請求項５の発明において、前記演算手段は、時計手段に現在日時の再設定が行なわれ再設定された設定日時を含む積算期間が再設定前の現在日時を含む積算期間を過ぎているときには再設定前の現在日時までの積算電力量を当該再設定前の現在日時を含む積算期間の積算電力量として書込信号を出力し、再設定された現在日時を新たな積算開始日時とするので、現在日時の再設定前に設定した現在日時が真の日時とずれていて現在日時の再設定を行なった場合、再設定された設定日時を含む積算期間が再設定前の現在日時を含む積算期間を過ぎているときには再設定前の現在日時までの積算電力量が当該再設定前の現在日時を含む積算期間の積算電力量として記憶手段に記憶され、再設定された現在日時が新たな積算開始日時となるから、積算期間毎の積算電力量を正確に判別することができるという効果がある。
【００７１】
請求項７の発明は、請求項６の発明において、前記演算手段は、前記再設定された設定日時を含む積算期間が再設定前の現在日時を含む積算期間を過ぎて更に少なくとも１回の積算期間を過ぎていたときに、当該過ぎていた積算期間の積算電力量を０として書込信号を出力するので、現在日時の再設定前に設定した現在日時が真の日時とずれていて現在日時の再設定を行なった場合、前記再設定された設定日時を含む積算期間が再設定前の現在日時を含む積算期間を過ぎて更に少なくとも１回の積算期間を過ぎていると、当該過ぎていた積算期間の積算電力量が０として記憶手段に記憶されるから、再設定前に設定した現在日時と真の日時とのずれが大きくても、積算期間毎の積算電力量を正確に判別できるという効果がある。
【００７２】
請求項８の発明は、請求項６又は請求項７の発明において、前記演算手段は、前記再設定された設定日時を含む積算期間が再設定前の現在日時を含む積算期間の開始点よりも前のときに、記憶手段に記憶されている全ての積算電力量をリセットさせるので、再設定前の現在日時を含む積算期間の積算電力量と再設定された設定日時における積算電力量とが重複して記憶手段に記憶されることを防止することができ、積算電力量を正確に判別することができるという効果がある。
【００７３】
請求項９の発明は、請求項１ないし請求項８の発明において、前記表示手段は、記憶手段に記憶された過去の積算期間の積算電力量と現時点での積算電力量とを同時に表示可能であるので、過去の積算期間の積算電力量を目標積算電力量として表示手段に表示させることにより、現在積算している積算電力量の目安とすることができ、現時点の積算電力量が多いか少ないかを使用者が容易に判別することができるという効果がある。
【図面の簡単な説明】
【図１】本発明の実施形態における表示器のブロック図である。
【図２】同上の表示器の使用形態における外観を示し、（ａ）は正面図、（ｂ）は下面図、（ｃ）は側面図である。
【図３】同上の使用形態の説明図である。
【図４】同上の要部構成図である。
【図５】同上の電力検出器のブロック図である。
【図６】同上の動作説明図である。
【図７】同上の動作説明図である。
【図８】同上の動作説明図である。
【図９】同上の動作説明図である。
【図１０】同上の動作説明図である。
【図１１】同上の動作説明図である。
【図１２】同上の動作説明図である。
【図１３】同上の動作説明図である。
【図１４】同上の表示器の表示例の説明図である。
【図１５】同上の表示器の表示例の説明図である。
【図１６】同上の表示器の表示例の説明図である。
【図１７】同上の表示器の表示例の説明図である。
【図１８】同上の表示器の表示例の説明図である。
【図１９】同上の表示器の表示例の説明図である。
【図２０】同上の表示器の表示例の説明図である。
【図２１】同上の表示器の表示例の説明図である。
【図２２】同上の表示器の表示例の説明図である。
【図２３】同上の表示器の表示例の説明図である。
【図２４】同上の表示器の表示例の説明図である。
【図２５】同上の表示器の表示例の説明図である。
【図２６】同上の表示器の表示例の説明図である。
【図２７】同上の表示器の表示例の説明図である。
【図２８】同上の表示器の表示例の説明図である。
【図２９】同上の表示器の表示例の説明図である。
【図３０】同上の表示器の表示例の説明図である。
【図３１】同上の表示器の表示例の説明図である。
【図３２】同上の表示器の表示例の説明図である。
【図３３】同上の表示器の表示例の説明図である。
【符号の説明】
３０  表示器
３２  表示部
３３  報知部
３４  操作部
３５  補助電源
３６  記憶部
３７  時計部
３８  演算処理部
３９  Ｆ／Ｖコンバータ
【図１】
0003733827.tif 000002
【図２】
0003733827.tif 000003
【図３】
0003733827.tif 000004
【図４】
0003733827.tif 000005
【図５】
0003733827.tif 000006
【図６】
0003733827.tif 000007
【図７】
0003733827.tif 000008
【図８】
0003733827.tif 000009
【図９】
0003733827.tif 000010
【図１０】
0003733827.tif 000011
【図１１】
0003733827.tif 000012
【図１２】
0003733827.tif 000013
【図１３】
0003733827.tif 000014
【図１４】
0003733827.tif 000015
【図１５】
0003733827.tif 000016
【図１６】
0003733827.tif 000017
【図１７】
0003733827.tif 000018
【図１８】
0003733827.tif 000019
【図１９】
0003733827.tif 000020
【図２０】
0003733827.tif 000021
【図２１】
0003733827.tif 000022
【図２２】
0003733827.tif 000023
【図２３】
0003733827.tif 000024
【図２４】
0003733827.tif 000025
【図２５】
0003733827.tif 000026
【図２６】
0003733827.tif 000027
【図２７】
0003733827.tif 000028
【図２８】
0003733827.tif 000029
【図２９】
0003733827.tif 000030
【図３０】
0003733827.tif 000031
【図３１】
0003733827.tif 000032
【図３２】
0003733827.tif 000033
【図３３】
0003733827.tif 000034